(57)【要約】【課題】  幼児のお絵描きの学習に役立つ知育玩具のトレース台として、部品数を軽減しながら面発光を可能とし、しかも、軽量で持ち運びに便利なお絵描き台玩具を提供する。【解決手段】  お絵描き台玩具100は、樹脂製で軽量なフレーム10と筐体90と、筐体内部に配置され、表面はトレース台として硬質な平滑部40とされ、裏面は光錯乱構造を形成する凹凸部30を長手方向に多数配列されるとともに、裏面の表面処理として梨地処理21を施した板体20と、板体20の周縁の端面に配置され、発光光を板体20の内部に射出するようにして高輝度な光を発する光源である複数の発光ダイオード50と、板体20の下方に配置され、発光ダイオード50の光を上方に反射させるアルミシート等からなる平坦な反射板60と、筐体内の電池収納部80に装填可能な電池と、光源を点灯消灯させるスイッチ15と、を備える。【選択図】    図１
2014239758.tif 000002
【特許請求の範囲】
【請求項１】
樹脂製で軽量な筐体と、
前記筐体内部に配置され、表面はトレース台として硬質な平滑部とされ、裏面は光錯乱構造を形成する凹凸部を長手方向に多数配列されるとともに、前記裏面の表面処理として梨地処理を施した板体と、
前記板体の周縁の端面に配置され、発光光を前記板体の内部に射出するようにして高輝度な光を発する光源である複数の発光ダイオードと、
前記板体の下方に配置され、当該発光ダイオードの光を上方に反射させるアルミシート等からなる平坦な反射板と、
前記筐体内の電池収納部に装填可能な電池と、
前記光源を点灯消灯させるスイッチと、
を備えることを特徴とするお絵描き台玩具。
【請求項２】
前記板体の凹凸部は、一定の間隔で配置されつつ、前記板体の周縁では凹部の幅を狭くして凸部の幅を広くされており、前記板体の中央では前記凹部と前記凸部の幅が略均等とされることを特徴とする請求項１に記載のお絵描き台玩具。
【請求項３】
前記発光ダイオードは、白色光を発光させる光源であることを特徴とする請求項１又は請求項２に記載のお絵描き台玩具。
【請求項４】
前記発光ダイオードは、前記筐体内で当該筐体の長手方向に等間隔で複数配置させることを特徴とする請求項１乃至請求項３の何れかに記載のお絵描き台玩具。
【請求項５】
前記トレース台を覆う蓋部を備え、当該蓋部の内方にポケットを有することを特徴とする請求項１乃至請求項４の何れかに記載のお絵描き台玩具。
【請求項６】
前記トレース台の周縁には、対向するようにストッパと、用紙保持具と、を備えることを特徴とする請求項１乃至請求項５の何れかに記載のお絵描き台玩具。
【請求項７】
前記筐体は、下方に脚部を有し、前記トレース台が僅かに傾斜していることを特徴とする請求項１乃至請求項６の何れかに記載のお絵描き台玩具。
【発明の詳細な説明】
【技術分野】
【０００１】
本発明は、幼児が絵などをトレースしてお絵描きの学習に役立つ知育玩具としてのトレース台に関する。
【背景技術】
【０００２】
従来、幼児期の子供たちは、お絵描きの学習として、刊行物に描かれたキャラクター等を真似て描くことがある。また、例えば、キャラクター等の書かれた原紙の上に用紙を置いて、その用紙に写し絵を描く場合がある。このような作業をするときに、原紙の背後から光をあてるトレース台があれば、写し絵を描くのに便利である。
【０００３】
下記に示す特許文献１には、高輝度、均一照射が可能で、軽量で携帯性に優れ、且つ原紙載置板の透明部または半透明部上での均一輝度が得られるトレース台が開示されている。
【先行技術文献】
【特許文献】
【０００４】
【特許文献１】特開２００５−１６９７０４号公報
【発明の概要】
【発明が解決しようとする課題】
【０００５】
しかしながら、特許文献１に示すトレース台は、高品質なトレース台であって、均一な面発光を実現するために微細加工の光学系部材である導光板を用いる必要があり、高価なものであった。
【０００６】
本発明は、上述したような従来技術の問題点に鑑みてなされたものであり、幼児のお絵描きの学習に役立つ知育玩具のトレース台として、部品数を軽減しながら面発光を可能とし、しかも、軽量で持ち運びに便利なお絵描き台玩具を提供することを目的とする。
【課題を解決するための手段】
【０００７】
本発明のお絵描き台玩具は、樹脂製で軽量な筐体と、前記筐体内部に配置され、表面はトレース台として硬質な平滑部とされ、裏面は光錯乱構造を形成する凹凸部を長手方向に多数配列されるとともに、前記裏面の表面処理として梨地処理を施した板体と、前記板体の周縁の端面に配置され、発光光を前記板体の内部に射出するようにして高輝度な光を発する光源である複数の発光ダイオードと、前記板体の下方に配置され、当該発光ダイオードの光を上方に反射させるアルミシート等からなる平坦な反射板と、前記筐体内の電池収納部に装填可能な電池と、前記光源を点灯消灯させるスイッチと、を備えることを特徴とする。
【０００８】
好適には、前記板体の凹凸部は、一定の間隔で配置されつつ、前記板体の周縁では凹部の幅を狭くして凸部の幅を広くされており、前記板体の中央では前記凹部と前記凸部の幅が略均等とされるものである。
【０００９】
好適には、前記発光ダイオードが白色光を発光させる光源である。
【００１０】
好適には、前記発光ダイオードが前記筐体内で当該筐体の長手方向に等間隔で複数配置させるものである。
【００１１】
好適には、前記トレース台を覆う蓋部を備え、当該蓋部の内方にポケットを有するものである。
【００１２】
好適には、前記トレース台の周縁には、対向するようにストッパと、用紙保持具と、を備えるものである。
【００１３】
好適には、前記筐体は下方に脚部を有し、前記トレース台が僅かに傾斜していることが好ましい。
【発明の効果】
【００１４】
本発明によれば、幼児のお絵描きの学習に役立つ知育玩具のトレース台として、部品数を軽減しながら面発光を可能とし、しかも、軽量で持ち運びに便利なお絵描き台玩具を提供することができる。
【００１５】
さらに、本発明によれば、前記板体の凹凸部は、前記板体の周縁では凹部の幅を狭くして凸部の幅を広くしており、前記板体の中央では前記凹部と前記凸部の幅が略均等とされることから、筐体の長手方向の周縁に位置する光源から距離が遠い中央近傍でも前記板体表面を透過する光量を多くして明るくすることができる。
【００１６】
また、本発明によれば、白色光を発光させる発光ダイオードを用いることにより、発光寿命が長く、軽量なお絵描き台玩具とすることができる。
【００１７】
そして、本発明によれば、発光ダイオードを筐体内方の長手方向に等間隔で複数配置させることにより、トレース台領域の明度斑を軽減させることができる。
【００１８】
さらに、本発明によれば、トレース台を覆う蓋部を備えることにより、持ち運びの際にトレース台を傷つける等を防止でき、さらに、蓋部の内方にポケットを有することから、写し絵用の切り抜き等をポケットに入れておけば紛失等を防止できる。
【００１９】
また、本発明によれば、前記トレース台の周縁には、対向するようにストッパと、用紙保持具と、を備えることから、写し絵を描く作業をするときに、不用意に用紙や原紙が移動することを防止できる。
【００２０】
そして、本発明によれば、前記筐体が下方に脚部を有して、前記トレース台が僅かに傾斜していることから、子供が写し絵を描きやすいトレース台とされている。
【図面の簡単な説明】
【００２１】
【図１】本発明の実施例に係る蓋部を外した使用時のお絵描き台玩具の外観斜視図である。
【図２】本発明の実施例に係る蓋部付きのお絵描き台玩具の外観斜視図である。
【図３】本発明の実施例に係るお絵描き台玩具の蓋部の内方のポケットを示す図である。
【図４】本発明の実施例に係るお絵描き台玩具の分解斜視図である。
【図５】本発明の実施例に係るお絵描き台玩具の板体の表裏面を示す斜視図である。
【図６】本発明の実施例に係るお絵描き台玩具の短手方向の断面図である。
【図７】本発明の実施例に係るお絵描き台玩具の長手方向の断面図である。
【発明を実施するための形態】
【００２２】
以下、本発明を実施するための形態について述べる。本発明のお絵描き台玩具100は、樹脂製で軽量な上方の筐体であるフレーム10と、下方の筐体90と、フレーム10と筐体90の内部に配置され、表面はトレース台として硬質な平滑部40とされ、裏面は光錯乱構造を形成する凹凸部30を長手方向に多数配列させるとともに、前記裏面全面の凹凸部30の表面処理として梨地処理21を施した板体20と、板体20の周縁の端面に配置され、発光光を板体20の内部に射出するようにして高輝度な光を発する光源である複数の発光ダイオード50と、を備える。
【００２３】
また、お絵描き台玩具100は、板体20の下方に配置され、発光ダイオード50の光を上方に反射させるアルミシート等からなる平坦な反射板60と、筐体内の電池収納部80に装填可能な電池と、光源を点灯消灯させるスイッチ15と、を備える。
【００２４】
お絵描き台玩具100は、板体20の凹凸部30は、一定間隔とされつつ、板体20の周縁では凹部の幅を狭くして凸部の幅を広くされており、板体20の中央では凹部と凸部の幅が略均等とされるものである。
【００２５】
そして、お絵描き台玩具100は、発光ダイオード50が白色光を発光させる光源である。
【００２６】
また、お絵描き台玩具100は、フレーム10が長方形の板状であって、発光ダイオード50は筐体内でフレーム10の長手方向に等間隔で複数配置させるものである。
【００２７】
さらに、お絵描き台玩具100は、トレース台を覆う蓋部91を備え、蓋部91の内方にポケット92を有するものである。
【００２８】
また、お絵描き台玩具100は、トレース台の周縁には、対向するようにストッパ18,19と、用紙保持具17と、を備えるものである。
【００２９】
そして、お絵描き台玩具100は、筐体90が下方に脚部95を有して、トレース台が僅かに傾斜していることが好ましい。
【実施例】
【００３０】
以下、本発明の実施例について図を用いて説明する。図１は本発明の実施例に係る蓋部91を外した使用時のお絵描き台玩具100の外観斜視図である。図２は本発明の実施例に係る蓋部91付きのお絵描き台玩具100の外観斜視図である。図３は本発明の実施例に係るお絵描き台玩具100の蓋部91の内方のポケット92を示す図である。
【００３１】
お絵描き台玩具100は、図１に示すように、お絵描きの学習として、キャラクター等の書かれた原紙をフレーム10中央に位置するトレース台とされる平滑部40の上に置き、さらにその原紙の上に用紙を置いて、その両方の紙をトレース領域の周縁に配置されるストッパ18,19及びバネで下方に付勢されている用紙保持具17で固定させ、その用紙に写し絵を描くときに、スイッチ15を操作して照明を点灯させて原紙の背後から光を効果的に拡散させた面発光による光をあてて、簡単に写し絵を描くためのトレース台である。
【００３２】
そして、お絵描き台玩具100は、幼児のお絵描きの学習に役立つ知育玩具のトレース台として使用された状態で、トレース台とされる平滑部40を覆うように別体である蓋部91を上方から取り付け、側方にある蓋部取り外しボタン93で蓋部91を本体に固定することができる。これにより、お絵描き台玩具100は、持ち運びの際にトレース台を傷つける等を防止することができる。
【００３３】
そして、お絵描き台玩具100の蓋部91には、図３に示すように、内方に写し絵用のキャラクター等の書かれた原紙を格納可能とするポケット92を備える。ポケット92は、蓋部91内方で１０ｍｍ程の厚み空間を有して用紙を格納できるケースとされていて、入口を半円に切り欠いた形状とされている。これにより、写し絵用の切り抜き等をポケット92に入れておけば紛失等を防止できる。
【００３４】
次に、お絵描き台玩具100の内部構造について図を用いて説明する。図４は本発明の実施例に係るお絵描き台玩具100の分解斜視図である。図５は本発明の実施例に係るお絵描き台玩具100の板体20の表裏面を示す斜視図である。
【００３５】
お絵描き台玩具100は、図４に示すように、フレーム10と筐体90との内部に、表面をトレース台とされ裏面側で光錯乱構造を有する板体20、反射板60、発光ダイオード50等を備える。
【００３６】
フレーム10は、軽量な硬質樹脂製の板状であって、上方でトレース台周縁のフレームを形成するものであり、筐体90は、下方で内蔵部品を収納する土台を形成するために格子状に多数のリブが内壁面に形成されているものであり、この両者で挟むようにしてお絵描き台玩具100は形成されており、内部に幾つかの照明部材が格納されている。
【００３７】
板体20の表面は、お絵描き台玩具100の用紙置き場として、さらにトレース台領域として、背面から照明光を発する部分である。板体20は、厚さ５ｍｍ程の硬質で頑丈な透明樹脂であるアクリル材等からなる略長方形の板体である。板体20は、図５（ａ）に示すように、表面が透明又は半透明なトレース台とされる平滑部40と、板体20の周縁にフレーム10と係合するフレーム係止部41を有するものである。また、板体20は、表面の周縁部にストッパ係止部42と用紙保持具17を取り付けるための切り欠き43を備えており、ストッパ18,19及び用紙保持具17の部材をフレーム10の裏面と板体20の周縁とで挟み込むようにして保持している。
【００３８】
そして、板体20は、図５（ｂ）に示すように、周縁部にリブ25を形成するようにして、裏面の略全面を周囲から窪ませ、裏面の周縁内部には光錯乱構造を形成する縦に溝を切って形成させる凹凸部30を長手方向で一面に多数配列させている。さらにこの凹凸部30の表面処理として、照明光の拡散機能を図って梨地処理21を施してある。そして、板体20の裏面は、長方形の長手方向に平行とされる凹凸部30を一面に形成しておくことにより、板体20の両サイドの凹凸部30の側面から照射される複数の光源からの光を乱反射させる働きを有する。
【００３９】
そして、凹凸部30は、板体20の周縁では、５ｍｍ毎に約１ｍｍ幅で１ｍｍ深さの溝を切って形成させ、板体20の中央では、５ｍｍ毎に約２．５ｍｍ幅で１ｍｍ深さの溝を切って形成させている。これにより、フレーム10の周縁に位置する光源からの距離が遠くて光が届きにくい板体20の中央近傍でも溝幅を広くすることで、板体20の表面と平行に近い光線を反射して板体表面を透過する光の量を板体中央部近くで増加させ、光量をあげることができる。
【００４０】
また、板体20は、裏面全面の凹凸部30を梨地処理21とすることで、照明光を拡散させる働きを有するとともに、板体20を表面から見たときに透けて見える裏面の凹凸部30による長手方向の線を目立たなくさせる。
【００４１】
さらに、裏面の略全面をリブよりも後退させ、反射板60との間に僅かな空間を形成しているため、裏面で反射板方向に乱反射された光が、反射板60で反射され、再度裏面を透過するときに散乱させて、板体表面を透過する光を一律に均一化させることができる。
【００４２】
そして、板体20は、一方の面の凹凸部30を形成するにあたって、例えば、簡単な形状にして比較的精度を必要としない金型による射出成形で製造することにより、製造を容易として安価なものとしている。
【００４３】
発光ダイオード50は、お絵描き台玩具100の光源であって、図４に示したように基板上に等間隔で複数実装されるチップタイプの高輝度な白色ＬＥＤからなり、お絵描き台玩具100の内部でお絵描き台玩具100の長手方向の対向する夫々の周縁に配置させている。また、発光ダイオード50は、板体20の端面から光を照射するように配置させている。白色光を発光させる発光ダイオード50を用いることにより、発光寿命が長いお絵描き台玩具100とすることができる。
【００４４】
反射板60は、ガラス材又は金属材にアルミニウムを表面に蒸着させて形成したアルミシート等からなる平面ミラーであって、板体20と合せて、発光ダイオード50の照射光を効率よく面発光に変換させるものである。
【００４５】
また、お絵描き台玩具100は、図４に示したように内部に電池の電池収納室80を有し、電池収納室80は、発光ダイオード50を点灯させるための主電源となる単一電池、単二電池又は単三電池などの所定の汎用電池を複数本、収納させるものである。そして、電池収納室80は、筐体90内で唯一肉厚部分とされており、図７に示すように下方に突出されて脚部95を形成し、お絵描き台玩具100自体を傾斜させている。
【００４６】
なお、お絵描き台玩具100は、収納された電池を主電源として、所定の回路により定電流、定電圧を構成して、スイッチ15のＯＮ−ＯＦＦ操作に基づいて、複数の発光ダイオード50を一斉に点灯消灯させる。
【００４７】
次に、お絵描き台玩具100において、面発光を可能とする内部の構造について図を用いて説明する。図６は、本発明の実施例に係るお絵描き台玩具100の短手方向の断面図である。図７は、本発明の実施例に係るお絵描き台玩具100の長手方向の断面図である。
【００４８】
お絵描き台玩具100は、図６に示すように発光ダイオード50を板体20のエッジ近傍に配置させ、筐体内部を反射板60と板体20とからなる部品数の少ない構成で製造を容易として、面発光を可能としている。
【００４９】
具体的には、玩具の両サイドの長手方向の内方に配置した発光ダイオード50の射出光を板体20の側面から夫々入射させることにより、光が板体20の内部や反射板60との間に形成された空間を進行するとき、凹凸部30の凹凸面や凹凸境界面に到達した光は、凹凸面により上方であるトレース台の方向又は下方に位置する反射板60の方向へと反射される。
【００５０】
そして、板体20の裏面と反射板60との間には空間を設けておくことにより、凹凸部30で反射された下方光が反射板60で反射され、凹凸部30表面の梨地処理21までの距離が生じて光の拡散効果を発生させる。
【００５１】
また、板体20の側面から入射されて板体20の内部や下方空間を進む光は、板体20の側面から中央に進む光につれて、板体20の表面と平行に近くなり、表面から上方に透過する光量が減衰されることとなるも、凹凸部30の溝の幅を広げることで、乱反射を効率よく行い光量をあげており、又、発光ダイオード50の直近の輝点部分の光は、フレーム10の周縁部で遮光させているため、トレース領域を比較的均質に面発光させることができる。
【００５２】
また、お絵描き台玩具100は長手方向の断面においては、図４及び図７に示したように、発光ダイオード50が筐体90内部の長手方向において、夫々等間隔に配置されているものである。
【００５３】
なお、発光ダイオード50は、長手方向で等間隔で密集するように配置すれば、トレース台領域の照明光をより均一光とし、トレース台領域の明度斑を軽減させることができる。
【００５４】
なお、トレース台の周縁には、対向するようにストッパ18,19と、用紙保持具17と、を備えることから、写し絵を描く作業をするときに、不用意に用紙が移動することを防止することができる。
【００５５】
また、筐体90が図７に示したように下方に脚部95を有して、トレース台が僅かに傾斜していることから、子供が写し絵を描きやすいトレース台とされている。
【００５６】
以上のように本実施例によれば、幼児のお絵描きの学習に役立つ知育玩具のトレース台として、部品数を軽減しながら面発光を可能とし、しかも、軽量で持ち運びに便利なお絵描き台玩具100を提供することができる。
【００５７】
さらに、本実施例によれば、板体20の凹凸部30は、板体20の周縁では凹部の幅を短くして凸部の幅を長くされており、板体20の中央では凹部と凸部の幅が略均等とされることから、筐体の長手方向の周縁に位置する光源から距離が遠い中央近傍でも板体20表面を透過して光量を多くして明るくすることができる。
【符号の説明】
【００５８】
10  フレーム                        15  スイッチ
17  用紙保持具
18  ストッパ                        19  ストッパ
20  板体
21  梨地処理                        25  リブ
30  凹凸部                          40  平滑部
41  フレーム係止部
42  ストッパ係止部                  43  切り欠き
50  発光ダイオード
60  反射板                          80  電池収納室
90  筐体
91  蓋部                            92  ポケット
93  蓋部取り外しボタン              95  脚部
100 お絵描き台玩具
【図１】
2014239758.tif 000003
【図２】
2014239758.tif 000004
【図３】
2014239758.tif 000005
【図４】
2014239758.tif 000006
【図５】
2014239758.tif 000007
【図６】
2014239758.tif 000008
【図７】
2014239758.tif 000009